(57)【特許請求の範囲】
【請求項１】
内周面の母線に沿ってカム溝を形成した外筒と、この外筒に回転自在に嵌合し、間隙を介して中心軸線方向に積層された複数の仕切板を設けると共に、中心軸線に沿って鍵孔を貫通させた内筒と、この内筒の母線に沿って延在し、内筒の外周部に半径方向に移動可能に案内されると共に、上記カム溝と係合する外側縁が外方に突出する方向に付勢されたロッキングバーとを有し、上記仕切板の間の各スロットに、一端を揺動可能に軸支され、他端部にロッキングバーの内側縁を受入れる解錠切欠を形成した、全体の形状がＣ字形のタンブラーを収納したものにおいて、内筒空間の容積を増大させる目的で、全仕切板に少なくとも１個の連通孔を開口させ、以て、各連通孔の内孔部分に、上記内筒空間に侵入した塵埃等を貯蔵させるようにしたことを特徴とするレバータンブラー錠。
【発明の詳細な説明】
【０００１】
【発明の属する技術分野】
この発明は、レバータンブラー錠に係り、特に、内部に塵やほこり、或いは小さな虫等が侵入しても、それによって作動不良が生じるまでの時期を従来のものよりも延長できるレバータンブラー錠に関する。
【０００２】
【従来の技術】
所謂シリンダ錠には、何れの型式のものも、内筒内空間が鍵孔を介して外部空間に連通しており、したがって鍵孔から内筒内に塵やほこり、或いは小さな虫等が侵入し易い。
【０００３】
周知のように、ピンタンブラー錠を除いて、シリンダ錠の内筒にはその中心軸線に沿って多数のスロットが形成されており、各スロットにはタンブラーが摺動或いは回動可能に収納されており、鍵孔に挿入される鍵と係合する方向に付勢されている。
【０００４】
【発明が解決しようとする課題】
各タンブラーとスロットを区画する仕切板との間には僅かな隙間しかないから、長期間の使用後内筒内に侵入した塵やほこりなどがタンブラーと仕切板との間に堆積すると、タンブラーの動きがこれらの塵等に阻害され、通常、鍵を鍵孔から抜いてもタンブラーが元の位置に戻らなくなる、という作動不良が生じる。
【０００５】
一方、ピンタンブラー錠はタンブラー孔に塵埃が入り難い構造であり、ディスクタンブラー錠は、通常、内筒の横断面が小判形をしており、スロットの一側が開いていて、各スロットが内筒の外面の平面部と外筒内周面との間の広い空間に連通しているので、比較的スロットに塵埃が堆積し難い。
【０００６】
そこで、この発明は、塵埃や小さな虫等の侵入によって作動不良が生じるまでの時期を従来のものよりも延長できるレバータンブラー錠を提供することを目的としている。
【０００７】
【課題を解決するための手段】
上記の目的を達成するため、この発明は、内周面の母線に沿ってカム溝を形成した外筒と、この外筒に回転自在に嵌合し、間隙を介して中心軸線方向に積層された複数の仕切板を設けると共に、中心軸線に沿って鍵孔を貫通させた内筒と、この内筒の母線に沿って延在し、内筒の外周部に半径方向に移動可能に案内されると共に、上記カム溝と係合する外側縁が外方に突出する方向に付勢されたロッキングバーとを有し、上記仕切板の間の各スロットに、一端を揺動可能に軸支され、他端部にロッキングバーの内側縁を受入れる解錠切欠を形成した、全体の形状がＣ字形のタンブラーを収納したものにおいて、内筒空間の容積を増大させる目的で、全仕切板に少なくとも１個の連通孔を開口させ、以て、各連通孔の内孔部分に、上記内筒空間に侵入した塵埃等を貯蔵させるようにしたことを特徴とする。
【０００８】
【実施例】
以下本発明の一実施例を図面を参照して説明する。
図１及び図２において符号１は外筒を示し、この外筒１は、外周の一部にその母線に沿って回り止めの凸条２を一体に形成した円筒であって、その内周面には、母線に沿って上記凸条２と平行なカム溝３が形成されている。図示の実施例ではこのカムと溝３の横断面は略Ｖ字形になつている。
【０００９】
上記外筒１の内孔内には、全体を符号４で示す内筒が回転自在に嵌合している。この内筒４は、図１に示すように、扉などの外面側に露出するフランジ付盤状のキーガイド５と全体の形状が短円柱状の尾栓６との間に、複数の仕切板７、７が間隙を介して内筒軸線方向に積層されて配設されている。図示の実施例では、第１乃至第６仕切板７−1〜７−６が設けられている。
【００１０】
各仕切板７は、例えば図３に示すように、全体の形状が略円形の板状体であり、図３で左右両側には円弧状の挿入片７ａ、７ａが一体に形成され、中央部には例えば略Ｗ字形の鍵挿通孔７ｂと円形のバックアップピン挿通孔７ｃとが開口しており、また、図３における上端部には円形の支軸孔７ｄが開口している。
【００１１】
更にまた、鍵挿通孔７ｂに関して支軸孔７ｄと反対側の外周部は図示のように凸字形に切欠かれ、後述のロッキングバーを内筒の半径方向に移動可能に案内するための案内溝７ｅが形成されている。
【００１２】
上記のように成形された例えば６枚の仕切板７−１〜７−６、前記キーガイド５及び尾栓６は、例えば図４に示すような構造の第１リテーナ８、及びこの第１リテーナ８と面対称になるように成形された第２リテーナ９（図２参照）を介して相互に一体的に結合され、前記内筒４を構成している。
【００１３】
しかして、上記第１リテーナ８は、例えば図４に示すように、フランジ８ａ付簿肉円筒の一部をなす板状体であつて、円筒の一部をなすその主体部８ｂには母線に沿って複数（図示の実施例では８個）の細長い矩形の受入孔８ｃ、８ｃが所定の間隔を保って開口している。
【００１４】
また、上記主体部８ｂの側端縁には、上記受入孔８ｃ、８ｃ間の実体部が円周方向に沿って延伸した形で、それぞれ複数の第１スペーサ片８ｄ、８ｄ及び第２スペーサ片８ｅ、８ｅが一体かつ櫛歯状に突設され、各第１スペーサ片８ｄの先端部は中心軸線方向に折り曲げられている。
【００１５】
そして、前記キーガイド５の図３に示す仕切板７と同様にしてフランジ部に形成された挿入片（図示せず）を第１リテーナ８のフランジ８ａに一番近い受入孔８ｃに挿入し、これに続いて第１乃至第６仕切板７−１〜７−６の一方の挿入片７ａを対応する受入孔８ｅに挿入し（図２参照）、支軸１１及びバックアップピン１２を各仕切板７の支軸孔７ｄ及びバックアップピン挿通孔７ｅ（図３参照）に共通に挿通させた後、キーガイド５及び尾栓６（図１参照）によって両端を拘束する。
【００１６】
また、外周部に図示しない挿入片を一体に形成した尾栓６を、その挿入片を図４に示す第１リテーナ８のフランジ８ａから一番遠い受入孔８ｃに挿入することによって第１リテーナ８に係合させ、第１リテーナ８の反対側から前記第２リテーナ９（図２参照）を同様にして嵌着して内筒４を構成する。
【００１７】
この内筒４が外筒１から抜け出ることを防止するため、図１に示すように、尾栓６の外周部に形成された周回溝に例えばＥ−リング１３が嵌着されている。
【００１８】
なお、第１及び第２リテーナ８、９のフランジ８ａ（図４参照）が外筒１の外端面に係止され（図１参照）、内筒４が内方（図１で右方）に抜け出ることを防止している。
【００１９】
また、図１に示すように、キーガイド５及び尾栓６にも仕切枚７の鍵挿通孔７ｂと同形の開口がこれと整合するように開口しており、これらの開口は内筒を軸線方同に貫通する鍵孔１４を形成している。
【００２０】
一方、上記案内筒４の外周部には、図１及び図２に示すように、ロッキングバー１５が内筒の半径方向に移動可能に案内されている。
【００２１】
図示の実施例では、このロッキングバー１５は横断面凸字形の杆状体で、仕切枚７、７の前記案円溝７ｅ、７ｅ（図３）に共通に係入しており、その外側縁は外筒のカム溝３と係合する断面山形稜として形成されている。
【００２２】
このロッキングバー１５は、付勢ばね１６（図１参照）の弾力により、内筒４の半径方向で外方に付勢されている。
【００２３】
また、仕切板７、７間に形成されたスロット１９には、全体の形状がＣ字形のレバータンブラー２１が、一端を支軸１１に回動自在に支承され、タンブラーばね２２（図２参照）の弾力により鍵孔１４に挿入された図示しない合鍵に近接する方向に付勢されている。
【００２４】
そして、鍵孔１４に合鍵が挿入され、この合鍵の鍵溝によってレバータンブラー２１が揺動して、その他端に形成された解錠切欠２３がロッキングバー１５と整合したとき、このレバータンブラー錠は解錠状態となる。
【００２５】
この状態で合鍵を介して内筒を回せば、カム溝３とロッキングバー１５との間に生じる楔作用によりロッキングバー１５は内筒の中心軸方向に移動し、内筒は回動可能になることは従来のレバータンブラー錠と変るところはない。
【００２６】
しかして、本発明によるレバータンブラー錠においては、図３に示すように、各仕切板７に少なくとも１個（図示の実施例では４個）の連通孔７ｆが開口している点が従来のものと異なっている。
【００２７】
所謂標準品と呼ばれているレバータンブラー錠の仕切板７の外径は約１５ｍｍ（ミリメートル）、厚さは１．４ｍｍであり、この場合例えば直径が２．６ｍｍ程度の連通孔７を４個開けても仕切板の強度には全然問題が無い。
【００２８】
一方、内筒４内には、多数の連通孔７、７の内孔部分の容積の総和としての新たな空間が加わり、計算によればこの発明によるレバータンブラー錠の内筒空間、すなわち、内筒内に侵入した塵埃が浮遊できる空間は従来の約１．３倍となる。
【００２９】
そのため、同じ雰囲気に設置された場合、従来のレバータンブラー錠と比較して、内筒内に侵入した塵埃や小さな虫の堆積量が１．３分の１になり、その分作動不良になるまでの期間が延長される。
【００３０】
換言すれば、今迄は６年で作動不良になる雰囲気に置かれても、この発明によるレバータンブラー錠は８年間使用でき、交換時期を２年間延長できる。
【００３１】
【発明の効果】
以上の説明から明らかなように、この発明は、内筒の仕切板に少なくとも１個の連通孔を開口させるようにしたので、内筒の空間を増大させることができ、塵埃の侵入によりレバータンブラー錠が作動不良に致る時期をかなり延長できる、という所期の効果を奏する。
【００３２】
また、単に仕切板に連通孔を開口させるだけでよく、その開口位置や開口量を精密に設定する必要が無いので、実施が極めて容易であり、しかも仕切板の強度を減少させるおそれも無い、等種々の効果を奏する。
【図面の簡単な説明】
【図１】レバータンブラー錠の構造の一例を示す縦断面図。
【図２】図１のＩＩ−ＩＩ線によるその横断面図。
【図３】この発明によるレバータンブラー錠の仕切板の正面図。
【図４】内筒のリテーナの外観斜視図。
【符号の説明】
１  外筒
３  カム溝
４  内筒
７  仕切板
７ｆ  連通孔
１１  支軸
１２  バックアップピン
１４  鍵孔
１５  ロッキングバー
１９  スロット
２１  レバータンブラー
２３  解錠切欠
【図１】
0004512907.tif 000002
【図２】
0004512907.tif 000003
【図３】
0004512907.tif 000004
【図４】
0004512907.tif 000005